(57)【要約】
【課題】ゼンマイの巻き戻り力を利用して飲料ボトルのキャップ状をなしたケース本体の天面部に付設したフィギュアのような適宜の被鑑賞体を回転させて楽しむゼンマイを駆動源とした回転玩具を提供する。
【解決手段】飲料ボトルのキャップ状をなしたケース本体３の中空部内に小型のゼンマイ駆動ユニット８を配設する。ゼンマイ駆動ユニット８の出力軸９を当該ユニット８の上部に突出させ、当該突出した出力軸９の先端部に原動歯車７を取付ける。原動歯車７に噛み合う従動歯車６を、ケース本体３の天面部４に回転可能に付設したターンテーブル２の下面に連設した従動軸５の下端部に取付ける。前記ギア手段６，７を介して出力軸９の回転力をターンテーブル２に伝達し、当該ターンテーブル２上に固定したフィギュアのような被鑑賞体１を回転させる。
【選択図】図１
0003100579.tif 000002
【実用新案登録請求の範囲】
【請求項１】
　飲料ボトルのキャップ状をなしたケース本体の中空部内に小型のゼンマイ駆動ユニットを配設すると共に、当該ゼンマイ駆動ユニットの出力軸を当該ユニットの上部に突出させ、当該突出した出力軸の先端部に原動歯車を取付け、この原動歯車に噛み合う従動歯車を、ケース本体の天面部に回転可能に付設したターンテーブルの下面に連設した従動軸の下端部に取付け、前記原動歯車及び従動歯車からなるギア手段を介して出力軸の回転力をターンテーブルに伝達し、当該ターンテーブル上に固定したフィギュアのような被鑑賞体を回転させるようにしたことを特徴とする回転玩具。
【考案の詳細な説明】
【技術分野】
【０００１】
　本考案は、ゼンマイの巻き戻り力を利用して飲料ボトルのキャップ状をなしたケース本体の天面部に付設したフィギュアのような適宜の被鑑賞体を回転させて楽しむゼンマイを駆動源とした回転玩具に関するものである。
【背景技術】
【０００２】
　従来、下記する特許文献に開示されているようなゼンマイ駆動装置は公知であり、当該ゼンマイ駆動装置を利用した走行玩具についても諸種のタイプのものが既に市販されている。
【特許文献１】特開平１１−３０９２７８号公報
【考案の開示】
【考案が解決しようとする課題】
【０００３】
　ゼンマイの巻き戻り力を駆動源としたゼンマイ駆動ユニットは、モーター駆動装置と異なり電池電源等が不要であるため、バッテリーを交換する等の手間が掛からないという利点を有する。しかしながら、かかるゼンマイ駆動ユニットは従来専ら自動車等走行玩具に応用されるのみで、これをフィギュアのような被鑑賞体を回転させて楽しむような利用方法は考えられてこなかった。
【０００４】
　したがって、本考案はゼンマイの巻き戻り力を利用して飲料ボトルのキャップ状をなすケース本体の天面部に付設したフィギュアのような諸種の被鑑賞体を回転させるようになした興趣に富んだ回転玩具を提供することを目的とするものである。
【課題を解決するための手段】
【０００５】
　上記目的を達成するための本考案の構成を詳述すれば、請求項１に係る考案は、飲料ボトルのキャップ状をなしたケース本体の中空部内に小型のゼンマイ駆動ユニットを配設すると共に、当該ゼンマイ駆動ユニットの出力軸を当該ユニットの上部に突出させ、当該突出した出力軸の先端部に原動歯車を取付け、この原動歯車に噛み合う従動歯車を、ケース本体の天面部に回転可能に付設したターンテーブルの下面に連設した従動軸の下端部に取付け、前記原動歯車及び従動歯車からなるギア手段を介して出力軸の回転力をターンテーブルに伝達し、当該ターンテーブル上に固定したフィギュアのような被鑑賞体を回転させるようにしたことを特徴とする回転玩具である。
【０００６】
　本考案は前記したように、飲料ボトルのキャップ状をなしたケース本体と、このケース本体の中空部内に配設する小型のゼンマイ駆動ユニットと、当該ユニットの上部に突出させた出力軸の先端部に取付ける原動歯車と、この原動歯車に噛み合う従動歯車と、この従動歯車の中心部に取付けた従動軸と、この従動軸の上端部に連設され、前記ケース本体の天面部において回転可能なターンテーブルと、当該ターンテーブル上に固定したフィギュア等適宜の被鑑賞体とから構成されるものである。
【０００７】
　ボトルキャップのような形状をしたケース本体の外周部には、ターンテーブルないし被鑑賞体の回転動作に支障を来さない範囲で、被鑑賞体のイメージにマッチした適宜デザインのカバーパーツを嵌め付けることができるようにして趣味感を向上させることもできる。なお、このカバーパーツはケース本体に固定したものであってもよいし、着脱自在なものであってもよい。
【０００８】
　ユニット内の駆動源となるゼンマイを巻き上げるには、ケース本体を一方の手で掴んでから、ターンテーブル上に固定してある被鑑賞体を他方の手でゼンマイの巻き上げ方向に回転させることによってギア手段を介して回転力がゼンマイに伝わり、ゼンマイが巻き上げられていく。なお、これとは逆に、被鑑賞体を固定した状態にしておいてケース本体の方を回転させるようにしてもゼンマイを巻き上げることができるのは云うまでもない。
【０００９】
　巻き上げた状態のゼンマイ駆動ユニットは手を放すことによって出力軸が自動的に回転し、原動歯車及び従動歯車を介して回転力がケース本体の天面部に付設してあるターンテーブルに伝わり、ターンテーブル上の所望のフィギュア等を回転させるものである。なお、原動歯車を小径状となし、且つこれに噛み合う従動歯車の方を大径状のものとすることによってターンテーブルを緩速状態にて回転させることができるものである。
【考案の効果】
【００１０】
　本考案によれば、簡単な操作で飲料ボトルのキャップ状をなしたケース本体の天面部においてフィギュアのような適宜の被鑑賞体を回転させて楽しむことができ、従来にない興趣に富んだ回転玩具を提供することができる。また、電動モーター類を用いないため、バッテリー交換が不要であると共に、バッテリーの収納スペースをケース本体内に設ける必要がなくなり、回転玩具の全体をきわめて小型化することができる。
【考案を実施するための最良の形態】
【００１１】
　以下、本考案に係る回転玩具の具体的構成を図示の実施形態に基づき詳細に説明する。
【００１２】
　図１は本考案回転玩具の一実施形態を示す説明図であり、図中１はターンテーブル２上に接着、ネジ止め等適宜の方法にて固定したフィギュアのような被鑑賞体を示す。ターンテーブル２は飲料ボトルのキャップ状をなすケース本体３の天面部４に回転可能に位置させてあり、ターンテーブル２の下面中心部に垂下させた従動軸５は天面部４の中心部に穿設してある通孔を貫通してケース本体３内に位置している。
【００１３】
　６は前記従動軸５の下端部に取付けた大径状の従動歯車であり、７はこの従動歯車６に噛み合う小径状の原動歯車である。８はケース本体３の中空部内に配設した小型のゼンマイ駆動ユニットであり、当該ゼンマイ駆動ユニット８の出力軸９の先端部に前記原動歯車７が取付けられている。
【００１４】
　その他、図中の１０は前記ゼンマイ駆動ユニット８をケース本体３の中空部内に固定するための底板、１１は従動軸５の回転を円滑にさせるためのボス部である。なお、図１に示す実施形態においては、ケース本体３はボトルキャップ状のまゝとしてあるが、前記したように被鑑賞体１との関係で適宜デザインを施した図示しないカバーパーツをケース本体３の外周部に取付けるようにしてもよいのは勿論であり、このような変更も本考案の範囲に含まれるのは云うまでもない。　
【００１５】
　本考案回転玩具の使用にあたっては、たとえばケース本体３を一方の手で掴んだ状態で被鑑賞体１を他方の手でゼンマイの巻き上げ方向に回転させることによってギア手段６，７を介してゼンマイを巻き上げることができ、手を放すとゼンマイの戻りによって出力軸９が自動的に回転し、ギア手段６，７を介して回転力がケース本体３の天面部４に付設してあるターンテーブル２に伝わり、ターンテーブル２上の被鑑賞体１を緩速状態にて回転させることができるものである。
【図面の簡単な説明】
【００１６】
【図１】本考案回転玩具の一実施形態を示す説明図である。
【符号の説明】
【００１７】
　１：被鑑賞体
　２：ターンテーブル
　３：ケース本体
　４：天面部
　５：従動軸
　６：従動歯車
　７：原動歯車
　８：ゼンマイ駆動ユニット
　９：出力軸
１０：底板
１１：ボス部
【図１】
0003100579.tif 000003